(57)【要約】【課題】重量が軽く容積が嵩張らず、かつ安価で通常装備として携行しうる携帯用簡易テントを提供することを目的とする。【解決手段】筒状のテントにおいて、空気吹き込み式支柱を筒周方向に該テントの天幕部に沿って設けることにより、簡易に折り畳んだり丸められるようにしかつ棒状の支柱を不用にし、また、出入口部として天幕部端部の断面形状を底面とする錐体の錐面形状を利用した出入口部を設けることにより、該出入口部を上にあげれば出入りに供することができるようにして専用の出入口を不用とし、さらに、天幕・出入口部等のテントの面を構成する部材の素材として、合成樹脂シートまたはおよび不織布を使用することにより、極めて軽量な一層簡易・安価なテントを供給できるようにした。【選択図】　　図１
2004011356.tif 000002
【特許請求の範囲】
【請求項１】
筒状のテントにおいて、空気吹き込み式支柱を該テントの天幕部に筒周方向に設けたこと、を特徴とするテント。
【請求項２】
請求項１記載の発明において、天幕部端部の断面形状を底面とする錐体の錐面形状を出入口部の形状としたこと、を特徴とするテント。
【請求項３】
請求項１またはおよび請求項２記載の発明において、テントの面部分を構成する部材の素材に合成樹脂シートまたはおよび不織布を使用したこと、を特徴とするテント。
【発明の詳細な説明】
【０００１】
【発明の属する技術分野】
本発明は、携帯用簡易テントに関する。
【０００２】
【従来の技術】
登山や渓流釣り等の場合、不慮の事故が発生したときに簡易に露営に供することができるテントがあれば大事に至らずに済んだと思われる事故がかなりの数に及んでいる。
また、自転車旅行のような場合にも野宿に使用できる簡便なテントが望まれている。
【０００３】
また、数人からなるパーティにおいても、持参するのは１帳のテントであり、テントを背負っているメンバーとはぐれた場合のメンバーは、野営テントもなく単独で行動していることと変わりがない状態となり、急な降雨・降雪・強風時にテントを使用した露営ができないことになる。
したがって、非常用としての携帯用テントの必要性は数人からなるパーティにおいても減じられるものではなく、事実このような事故も報告されている。
【０００４】
このような不時の場合に対処するため古くからツェルトザックといわれるものや少人数用のテントとして図９に示すような三角型テントがあり、また現今では少人数用のテントとして三角型テントの居住性を改良したＡ型テントやドーム型テント等が実用に供されている。
しかし、上述の各種テントはいずれも合成繊維あるいは天然繊維を蜜に織った布の防水・撥水処理がされた布で作られておりまた金属支柱を必要とすることから、これを一人で携行して使用するには、重量がかなり重くまた容積が嵩張るため、他の携行品との関係上から持参することに抵抗があり、敬遠する人が多勢にのぼっている。
【０００５】
また、非常用に使用する場合には、頻繁に使用するものでもないことから使用頻度を考慮したときには現在市販されている携帯用テントは安価とは言えない。
【０００６】
このように非常時の必要性・有効性はある程度認識されてはいるとはいうものの、上記諸事情から携帯用の簡易なテントが実用に供されているとは言えない現状にある。
【０００７】
【発明が解決しようとする課題】
本発明は、上記のような事情のもとで考えだされたもので、重量が軽く、容積が嵩張らず、かつ安価で通常装備として携行しうる携帯用簡易テントを提供することを目的とする。
【０００８】
【課題を解決するための手段】
筒状のテントにおいて、空気吹き込み式支柱を筒周方向に該テントの天幕部に沿って設けることにより、簡易に折り畳んだり丸められるようにし、また棒状の支柱を不用にする。
【０００９】
また、天幕部端部の断面形状を底面とする錐体の錐面形状を出入口部の形状とした出入口部を天幕部の端部に設けることにより、該出入口部を上げれば出入りに供することができるようにし、専用の出入口を不用にする。
【００１０】
さらに、天幕・出入口部等のテントの面を構成する部材の素材として、合成樹脂シートまたはおよび不織布を使用することにより、極めて軽量な一層簡易・安価なテントを提供できるようにする。
【００１１】
【発明の実施の形態】
図１ないし図８に本発明の実施の形態を示す。図１は、筒状テント１０がテントとして実用に供された場合の斜視図であり、図２は、筒状テントの筒状の部分を示す斜視図である。
空気吹き込み式支柱２２・２４が該筒周方向に天幕部２０に沿って設けられている。
なお、空気吹き込み式支柱２２は天幕部の外面に設けた場合、空気吹き込み式支柱２４は天幕部の内面に設けた場合である。
【００１２】テントの張り方・使い方
まず、テントとしての展帳・設営の仕方・使い方を説明する。
折り畳んであるいは丸め込んで携帯してきた筒状テント１０を地面に拡げ、ペグ９０をグランドシート３０の４隅および該シートの辺に設けられた固定用支持部５０に入れて地面に打ち込む（図２）。
つぎに、空気吹き込み式支柱２２・２４に設けられている空気吹き込み口２６から空気を吹き込むと、空気吹き込み式支柱は図に示すようなテントの形状となってテントとして展開し、所定の筒状の天幕部２０を形成する。
つぎに、天幕部の端部から筒状テントの軸方向にロープ８０をペグ９０に張り（図３）、出入口部６０を引き伸ばして出入口部に設けた開口６２をペグの頭部に嵌めれば（図１）、テントの設営は終了する。
出入の際は、使用者は図３に示すように出入口部を引き上げれ出入りすることができ、別個に出入口を設ける必要はない。
なお、図４に示すように、出入口部に開閉用のファスナー６５を設けた場合には、出入口部先端に設けたグロメット６６に紐等を通してペグに結びつければよく、またファスナーは強度を有することからロープ８０を省略することもでき、出入の際はファスナーを上下するだけで容易に出入することができる。
【００１３】各部品の形状・機能（素材（後述）は除く）
空気吹き込み式支柱２２・２４は、自転車のチューブのようなもので、空気が充填されたときは図１・図２・図３・図４等に示すように所定の形状となってテントの天幕部２０の形状を形成する。
空気吹き込み式支柱の形状は、通常は上記諸図に示すように中心角が１８０°を超える円弧状となる形状が採用されるが、１８０°以下の円弧状の形状でもよく、馬蹄形（かまぼこ型）でもよく、多角形の一辺を欠く形状でもよい。
以下では、説明の便宜上、図示のごとき中心角が１８０°を超える円弧状となる形状を取り上げて言及する。
空気吹き込み式支柱の形状は、上述のように丸みのあるものとなるから空気抵抗の少ないものとなり、風に対して三角型テントより有利である。また、空気吹き込み式支柱として、金属支柱等を廃したことから落雷の怖れが減少する。
【００１４】
空気吹き込み式支柱２２・２４に設けられている空気吹き込み口２６は、携帯空気枕や空気充填玩具の空気充填用口に設けられているものと同様なものであればよい。
また、空気吹き込み口は、外面のみならず内面にも設けることができ、この内面に設けた場合には、テント使用中に空気を補充でき、また強風下の場合には一端テントの中に入ってからテントを所定の形状にすることができるという長所もある。
【００１５】
グランドシート３０はテントが地面と接する部分を構成し、通常は天幕部２０と一体に形成される。
なお、空気吹き込み式支柱２２・２４を、空気が吹き込まれて円弧状となったときに図示所定の径より大きな径になるように設計しておくと、上述のように一体に構成したときはテントとして張られた場合にはグランドシートが延伸されるという利点を享受できる。
【００１６】
また、この筒状テントには、天幕部両端で筒断面方向に壁面を構成する内壁４０を設けることもできる。
この内壁は、熱を遮断し、風の進入を防止し、害虫の進入を防ぐのに役立つものである。
図８に、内壁を空気吹き込み式支柱２４に固定する場合の一実施例を示す。空気吹き込み式支柱の全面あるいは数ヵ所に固定部材２８を設け、これに内壁を接触固定する。接触固定には、多数フックの付いたテープと多数ループの付いたテープを接触させて固定するテープ等が用いられる。
【００１７】
固定用支持部５０は、テントを固定するためのペグ９０を拘束するものである。
固定用支持部の形状としては、一般には図２に示すような形状のものが使用されるが、ペグを拘束してテントを固定する機能・強度を有する形状であればよく、ロープを輪状にしてグランドシート３０部分に取り付けたものでもよく（図省略）、また、一本のロープにして立木や岩石等に結びつけるようにしてもよい。
【００１８】
出入口部６０は、天幕部端部の断面形状を底面とする錐体の錐面形状を利用したもので、該面を引き下げて該面に設けられた固定用開口６２をペグ９０に嵌めこんで固定すると出入口は閉の状態となり、これと逆にすると出入口は開の状態となり、使用者の出入に供することができることになる。
なお、本実施例では、天幕部端部の断面が中心角１８０°を超える円弧状となる形状を取り上げていることから、錐体は斜錐体となっている。
図５は、出入時の出入口部の開口の大きさについて検討したものである。
符号６８は、天幕部２０の天頂から降ろした垂線の地面との交点から出入口部へ引いた垂線を示すが、この出入口部への垂線６８を含む錐体の断面が出入口部の最大断面積に近いものとなる。しかし、使用者が出入りする際には、動きに合わせて該断面を伸長するのが通常であり、したがって出入時には出入口部の最上位置を示す線６９の位置にまで上に上げられる（図３）ことから、出入の頻度を考えても使用者の出入にはそれ程の支障は生じないことがわかる。
また、この錐体の錐面を利用した出入口部は、ザックや靴等の身の回りの物を置くのに至便であり、炊事をするのにも極めて好都合なものである。
錐体の頂点は諸図に示すようにグランドシート３０の面レベルに位置するのが通常であるが、グランドシートの面レベル外に位置するするものであってもよい。また、出入口部の形状に錐体の錐面を利用したことから空気抵抗の極めて少ないものとなり、風に対して他の型式のテントより有利である。
【００１９】
ペグ９０は、地面に打ち込みやすいような先端と固定用支持部５０を固定しやすいあるいはロープ８０を結び易い頭部を有する形状のものであればよい。
【００２０】素材・作り方
筒状テントを構成する部品のうち、天幕部２０・グランドシート３０・内壁４０・固定用支持部５０・出入口部６０には合成樹脂シート、たとえばポリエチレン・ポリエチレンテレフタレート・エチレンビニールアルコール樹脂・ナイロン等のシートおよびこれらの複合材料のシート、や不織布が用いられ、各部品ごとに別種の素材を使い分けることもできる。
しかし、これらのうち、天幕部・グランドシート・内壁・出入口部は、図６に示すように１枚のシート状物から裁断して構成することもでき、また、図７に示すように筒状体にしたものから裁断して（図７の右側）構成することもできるから、生産価格を安価にするには至便な製作方法である。
なお、筒状体にしたものから裁断して（図７の右側）構成する場合には、出入口部は該部分を構成する部分全体を下方に降ろすことによって使用に供することが可能となる（図７の左側）。この場合天幕部下部で弛み６４が生ずるが、この部分は折り畳んで天幕部２０に接触固定すれば使用上それ程の支障は生じない。
内壁の素材として、粗い目の不織布や編み状の素材を用いれば、いわゆるモスキートネットとして虫の進入を防止でき、通気（ベンチレーション）をよくすることができる。
また、内壁下部と天幕部の下部とを接着して箱状にすると雨水の流れ込みを防ぐことができる。
【００２１】
空気吹き込み式支柱２２・２４および空気吹き込み口２６は、空気圧に耐えなければならないことから、合成樹脂シート、それも天幕部２０等よりは強度の高いものが使用される。
ゴムの使用も考えられるが、重量が重くなりがちであり、また天幕部素材との接着性も考慮する必要がある。
【００２２】
ロープ８０の素材としては、ナイロン等の素材も考えられるが、安価に製作するには合成樹脂シートを素材とする荷作り用ロープでもよい。
【００２３】
ペグ９０は、合成樹脂・アルミニュウム軽合金・木等で製作されるが、落木や石を転用することもできる。
【００２４】
【発明の効果】
筒状テントにおいて、空気吹き込み式支柱を設けて棒状の支柱を不用としたことからテント全体を１個のものに簡易に折り畳んだり丸められるようなり、軽量かつコンパクトな携帯に至便で、場所を選ばず短時間で設営可能な簡易テントが供給できるようになった。
また、空気吹き込み式支柱の形状には円弧状・馬蹄形等の製作しやすい任意な形状のものを採用できることから、居住性、使用人数を考慮した使用性の優れた簡易テントを提供できることになった。
なお、空気吹き込み式支柱の形状は丸みのあるものとなるから空気抵抗の少ないものとなり、金属支柱等を廃したことから落雷の怖れの少ないテントである。
【００２５】
空気吹き込み口は、携帯空気枕や空気充填玩具の空気充填用口に使用されているものが流用できることから安価に製作でき、また空気吹き込み口を外面のみならず内面にも設けることができることから、テント使用中に空気を補充することができ、また強風下の場合にはテントの中に入ってから空気を吹き込み、支柱を所定の形状にすることができるという利点もある。
【００２６】
出入口部には、錐体の錐面を利用した出入口部を設けたことから、該出入口部を引き上げれば出入りすることができ、専用の出入口を設ける必要がない。
また、出入口部の形状に錐体の錐面を利用したことから空気抵抗の極めて少ないテントである。
【００２７】
テントを構成する部材の素材に、合成樹脂シートまたはおよび不織布を使用したことから、極めて軽量な一層簡易・安価なテントを供給できるようになった。特に、各部品ごとに別種の素材を使い分けることもでき、内壁の素材には粗い目の不織布等を用いることにより、モスキートネットとして虫の進入を防止でき、通気（ベンチレーション）をよくすることができる。
また、合成樹脂シートまたはおよび不織布を素材として使用したことから、破れた場合にはセロファンテープ等で容易に修繕・保全することができる。
また、不織布性を用いた場合には、外風による雑音の発生を少なくすることができ、またテント内での結露を分散して水滴の落下を少なくすることができる。
【００２８】
また、天幕部・グランドシート・内壁・出入口部は、１枚のシートや筒状体にしたものから裁断して生産することができる。
【００２９】
以上の諸点から、軽量かつコンパクトな携帯に便利で、場所を選ばず短時間で設営可能な簡易テントを安価に提供することが可能となった。
【図面の簡単な説明】
【図１】筒状テントがテントとして実用に供された場合の斜視図である。
【図２】筒状テントの筒状の部分を示す斜視図である。
【図３】出入口部の出入時の開口の状態を示す斜視図である。
【図４】ファスナー付き出入口部の出入時の開口の状態を示す斜視図である。
【図５】出入時の出入口部の開口の大きさについて検討した側面図である。
【図６】１枚のシート状物から裁断する場合の平面図である。
【図７】筒状体から裁断する場合の側面図（図７の右側）および使用時の状
態を示す側面図（図７の左側）である。
【図８】内壁を空気吹き込み式支柱に固定する場合の断面図である。
【図９】三角型テントを示す斜視図である。
【符号の説明】
１０　　筒状テント
２０　　天幕部
２２　　空気吹き込み式支柱（外面付）
２４　　空気吹き込み式支柱（内面付）
２６　　空気吹き込み口
２８　　固定部材
３０　　グランドシート
４０　　内壁
５０　　固定用支持部
６０　　出入口部
６２　　固定用開口
６４　　弛み
６５　　ファスナー
６６　　グロメット
６８　　出入口部への垂線
６９　　出入時の出入口部の最上位置を示す線
８０　　ロープ
９０　　ペグ
【図１】
2004011356.tif 000003
【図２】
2004011356.tif 000004
【図３】
2004011356.tif 000005
【図４】
2004011356.tif 000006
【図５】
2004011356.tif 000007
【図６】
2004011356.tif 000008
【図７】
2004011356.tif 000009
【図８】
2004011356.tif 000010
【図９】
2004011356.tif 000011